(57)【要約】【課題】試験の実施に際し、速度検出器の取付け、取外し、及び取付け状態における速度検出器の位置調整を容易に行うことができるエレベータ調速機の試験装置の提供。【解決手段】エレベータ調速機１の綱車１ａに当接される回転ローラ３ａを有し、この回転ローラ３ａを介して綱車１ａの速度を検出する速度検出器３と、この速度検出器３を保持する保持台４ｃと、エレベータ調速機１に固定される保持フレーム４ａと、これらの保持台４ｃと保持フレーム４ａを連結する保持アーム４ｂとを有する保持具４を備えたエレベータ調速機１の試験装置にあって、速度検出器３を保持台４ｃに固定するとともに、保持フレーム４ａに対する速度検出器３の相対位置を可変にできる固定リング８を設けた構成にしてある。【選択図】図１
2008156019.tif 000002
【特許請求の範囲】
【請求項１】
エレベータ調速機の綱車に当接される回転ローラを有し、この回転ローラを介して前記綱車の速度を検出する速度検出器と、この速度検出器を保持する保持台と、エレベータ調速機に固定される保持フレームと、これらの保持台と保持フレームを連結する保持アームとを有する保持具を備えたエレベータ調速機の試験装置において、
前記速度検出器を前記保持台に固定するとともに、前記保持フレームに対する前記速度検出器の相対位置を可変にできる固定リングを設けたことを特徴とするエレベータ調速機の試験装置。
【請求項２】
請求項１に記載の発明において、
前記固定リングを、前記回転ローラと前記保持具の重心との間に取り付けたことを特徴とするエレベータ調速機の試験装置。
【請求項３】
請求項１または請求項２に記載の発明において、
前記保持アームが前記固定リングを位置決めする手段を兼ねることを特徴とするエレベータ調速機の試験装置。
【請求項４】
請求項１〜３のいずれか１項に記載の発明において、
前記回転ローラは、前記綱車に当接する大径部と、この大径部に連設され、前記大径部と前記速度検出器の本体との間に配置される小径部とを有し、前記固定リングは、少なくとも前記回転ローラの前記小径部の径よりも大きい切欠き幅を有するＣ型構造であることを特徴とするエレベータ調速機の試験装置。
【請求項５】
請求項１〜３に記載の発明において、
前記固定リングは、切欠きのないＯ型構造であることを特徴とするエレベータ調速機の試験装置。
【発明の詳細な説明】
【技術分野】
【０００１】
本発明は、エレベータ調速機の綱車の回転速度を、速度検出器により検出するエレベータ調速機の試験装置に関する。
【背景技術】
【０００２】
この種のエレベータ調速機の試験装置としては、例えば、特許文献１に示す従来技術がある。この従来技術では、エレベータ調速機の綱車の回転速度を検出する速度検出器を固定するために、速度検出器保持台、すなわち保持台に２つの面ファスナーが設けられている。これらの面ファスナーによって、速度検出器を保持台に固定することで、速度検出器が保持台から落下することを防ぎ、これにより作業員による速度検出器の取付け、取外し作業が、より迅速かつ容易となっている。
【特許文献１】特開２００６−１１７３５９公報（段落番号００１８〜段落番号００２３、図１〜５）
【発明の開示】
【発明が解決しようとする課題】
【０００３】
しかし、上述に示した特許文献１の従来技術では、試験の実施に伴って作業員が保持台に常設した面ファスナーによって速度検出器を保持台に取付けるに際し、あるいは取外すに際して、面ファスナーのテープ部が軍手などに貼りつき、作業が煩雑になるという問題があった。また、速度検出器を面ファスナーにより保持台に取付けて固定した後、速度検出器の位置を調整するためには、面ファスナーを剥がして速度検出器を所定の位置に調整した後、面ファスナーを貼り直す作業が伴うため、煩わしいという問題があった。このようなことから、作業員の労力を要するとともに、作業の能率の向上を見込めないのが実状であった。
【０００４】
本発明は、このような従来技術の実状を考慮してなされたもので、その目的は、試験の実施に際し、速度検出器の取付け、取外し、及び取付け状態における速度検出器の位置調整を容易に行うことができるエレベータ調速機の試験装置を提供することにある。
【課題を解決するための手段】
【０００５】
この目的を達成するために、本発明は、エレベータ調速機の綱車に当接される回転ローラを有し、この回転ローラを介して前記綱車の速度を検出する速度検出器と、この速度検出器を保持する保持台と、エレベータ調速機に固定される保持フレームと、これらの保持台と保持フレームを連結する保持アームとを有する保持具を備えたエレベータ調速機の試験装置において、前記速度検出器を前記保持台に固定するとともに、前記保持フレームに対する前記速度検出器の相対位置を可変にできる固定リングを設けたことを特徴としている。
【０００６】
このように構成した本発明は、試験の実施に際して、速度検出器の回転ローラが綱車に当接するように速度検出器を保持台に載せ、固定リングを速度検出器と保持台に把持するように挿入するだけで、速度検出器と保持台を固定できるとともに、挿入した固定リングを速度検出器と保持台から抜取るだけで、速度検出器を取外すことができる。また、固定リングを速度検出器と保持台に取付けた状態で、固定リングと速度検出器との間に隙間のある状態において速度検出器を移動させることにより、保持フレームに対する速度検出器の相対位置を調整することができる。したがって、試験の実施に際し、速度検出器の取付け、取外し、及び取付け状態における速度検出器の位置調整を容易に行うことができる。
【０００７】
また、本発明は、前記発明において、前記固定リングを、前記回転ローラと前記保持具の重心との間に取り付けたことを特徴としている。このように構成した本発明は、速度検出器を所定の安定した位置に固定できるので、より確実にエレベータ調速機に試験装置を取付けることができる。
【０００８】
また、本発明は、前記発明において、前記保持アームが前記固定リングを位置決めする手段を兼ねることを特徴としている。このように構成した本発明は、固定リングを保持アームに当接させることにより、固定リングの位置決めを容易に行うことができる。
【０００９】
さらに、本発明は、前記発明において、前記回転ローラは、前記綱車に当接する大径部と、この大径部に連設され、前記大径部と前記速度検出器の本体との間に配置される小径部とを有し、前記固定リングは、少なくとも前記回転ローラの前記小径部の径よりも大きい切欠きを有するＣ型構造であることを特徴としている。このように構成した本発明は、速度検出器を保持具に取付けた状態で、回転ローラの大径部と速度検出器の本体との隙間から固定リングをこの固定リングの切欠きから取付け、取外しすることができる。
【００１０】
また、本発明は、前記発明において、前記固定リングは、切欠きのないＯ型構造であることを特徴としている。このように構成した本発明は、切欠きのない簡単な構造であっても、速度検出器を保持具に固定することができる。
【発明の効果】
【００１１】
本発明は、試験の実施に際し、固定リングを用いることよって、速度検出器の取付け、取外し、及び取付け状態における速度検出器の位置調整を容易に行うことができ、従来懸念のあった、面ファスナーに伴う作業員の労力を軽減できる。したがって、従来よりも速度検出器の取付け、取外し及び位置調整の作業の能率を向上させることができる。
【発明を実施するための最良の形態】
【００１２】
以下、本発明に係るエレベータ調速機の試験装置を実施するための最良の形態を図に基づいて説明する。
【００１３】
図１は、本発明に係るエレベータ調速機の試験装置の第１実施形態を示す斜視図、図２は、図１に示す第１実施形態に備えられＣ型の固定リングの幅寸法を説明する図で、図１のＡ矢視に相応し、しかもＣ型の固定リングを取付ける前の状態を示す図、図３は、図２のＥ矢視であり、Ｃ型の固定リングの切欠き幅を説明する図、図４は、Ｃ型の固定リングの作用を説明する図であるとともに、このＣ型の固定リングを速度検出器に適切に取付ける範囲を示す図、図５は、Ｃ型の固定リングを速度検出器に取付ける方法を示す図、図６は、図１のＣ矢視に相応する要部拡大図である。
【００１４】
［第１実施形態の構成］
まず、第１実施形態の構成を主に図１〜図４、図６により説明する。本発明に係るエレベータ調速機の試験装置は、エレベータ速度の異常を検知し、かごを停止させるエレベータ調速機１が、正常に動作するかどうかの試験で用いられ、図１に示すように、エレベータ調速機１のフレーム１ａに回転可能に取付けてある綱車１ｂの回転速度を、保持具４に保持された速度検出器３によって検出するものである。
【００１５】
前述の速度検出器３は、エレベータ調速機１の綱車１に当接される回転ローラ３ａと、本体３ｂとを有している。また、前述の保持具４は、フレーム１ａへの取付け部となる保持フレーム４ａと、この保持フレーム４ａに取付け部５、例えばボルトとナット（図示せず）を介して取付けられる保持アーム４ｂと、この保持アーム４ｂに別部品として結合され、回転ローラ３ａを綱車１ｂへ当接させるように、速度検出器３の本体３ｂを保持する保持台４ｃとを有している。
【００１６】
特に、本発明の第１実施形態は、保持台４ｃに速度検出器３の本体３ｂを載せた状態で、速度検出器３を保持台４ｃに固定するとともに、保持フレーム４ａに対する速度検出器３の相対位置を可変にできる固定リング、すなわちＣ型の固定リング８を備えている。つまり、図１に示すように、Ｃ型の固定リング８を速度検出器３と保持台４ｃに取付けた状態で、Ｃ型の固定リング８と速度検出器３との間に隙間のある状態において、速度検出器３を移動させることにより、速度検出器３の回転ローラ３ａが綱車１ｂに当接するように、速度検出器３の全体の位置を調整できるようになっている。
【００１７】
また、図２、図３に示すように、前述の回転ローラ３ａは、綱車１ｂに当接する大径部３ａ１と、この大径部３ａ１に連設され大径部３ａ１と速度検出器３の本体３ｂとの間に配置される小径部３ａ２を有している。前述のＣ型の固定リング８は、図３に示すように、少なくとも回転ローラ３ａの小径部３ａ２の径Ｄよりも大きい切欠き幅Ｗを有するＣ型構造となっている。さらに、図２に示すように、Ｃ型の固定リング８のリング幅Ｈは、小径部３ａ２の長さδよりも小さくなっている。このC型の固定リング８によって、速度検出器３を保持具４に取付けた状態で、回転ローラ３ａの大径部３ａ１と速度検出器３の本体３ｂとの隙間、つまり、小径部３ａ２の長さδの隙間からＣ型の固定リング８をこのＣ型の固定リング８の切欠きから取付け、取外しできるようになっている。
【００１８】
さらに、第１実施形態では、図４に示すように、前述のＣ型構造を有する固定リング８を回転ローラ３ａと保持具４との重心との間に取付けている。すなわち、例えば保持アーム４ｂから保持台４ｃの端部までを取付け範囲Ｌとして、この取付け範囲Ｌ内で速度検出器３と保持台４ｃをＣ型の固定リング８により把持することで、速度検出器３を所定の安定した位置に固定できるようになっている。
【００１９】
また、前述の保持アーム４ｂは、Ｃ型の固定リング８を位置決めする手段を兼ねており、Ｃ型の固定リング８を保持アーム４ｂに当接させることにより、Ｃ型の固定リング８の取付け範囲Ｌ内での位置決めを容易に行えるようになっている。
【００２０】
なお、第１実施形態は、図６に示すように、前述の取付け部５の穴の形状を丸穴５ａとしている。また、Ｃ型の固定リング８は、保持台４ｃと一体で一部品となっていても良いし、保持アーム４ｂと保持台４ｃも一体で一部品となっていても良い。
【００２１】
［第１実施形態の取付け］
次に、エレベータ調速機の試験を行う前に、本発明の第１実施形態を取付ける場合について説明する。図１に示すように、エレベータ調速機１のフレーム１ａに保持フレーム４ａを、例えばボルトとナットなどにより固定することが行われる。また、保持台４ｃと速度検出器３の本体３ｂとの当接面が水平となるように保持アーム４ｂの向きが調整され、この保持アーム４ｂと保持フレーム４ａとが取付け部５で、例えば、ボルトとナットなどにより丸穴５ａを介して締結される。速度検出器３は、回転ローラ３ａがエレベータ調速機１の綱車１ｂに当接するように保持台４ｃ上に配置される。
【００２２】
Ｃ型の固定リング８は、図５に示すように、速度検出器３の回転ローラ３ａの大径部３ａ１と速度検出器３の本体３ｂとの隙間、すなわち前述の小径部３ａ２の長さδの隙間の上方から挿入され、保持フレーム４ａに当接させるようになっている。Ｃ型の固定リング８の位置を前述した取付け範囲Ｌ内に調整する。このように、Ｃ型の固定リング８の位置を調整した後、駆動工具（図示せず）によりエレベータ調速機１の綱車１ｂを回転させることで、図４に示すように、速度検出器３と保持具４の質量ｍに対して、速度検出器３の回転ローラ３ａ１に反力Ｎが発生し、その反力ＮをＣ型の固定リング８で押さえ込むことで、速度検出器３が保持台４ｃに固定される。
【００２３】
なお、速度検出器３及びＣ型の固定リング８の位置を調整する場合には、前述の反力Ｎを固定リング８で押さえ込んでいる固定状態から開放するために、作業者が保持台４ｃを上方に持上げる。これにより、反力Ｎが発生していない状態、すなわちＣ型の固定リング８と速度検出器３との間に隙間のある状態となり、この状態において、速度検出器３及びＣ型の固定リング８を移動させて調整を行うことができる。
【００２４】
［第１実施形態の取外し］
前述のように、速度検出器３を保持具４によって保持し、エレベータ調速機１の試験を行った後に、本発明の第１実施形態を取外す場合について説明する。このような取り外しに際しては、エレベータ調速機１の綱車１ｂが回転していない状態とする。それから、Ｃ型の固定リング８を前述の小径部３ａ２の長さδの隙間まで移動させ、上方に引き上げることによりＣ型の固定リング８を取外すことが行われる。そして、速度検出器３が保持台４ｃから降されるとともに、エレベータ調速機１のフレーム１ａと保持フレーム４ａとを締結しているボルトとナットが取外され、保持具４全体が取外される。
【００２５】
［第１実施形態の効果］
このように構成した本発明によれば、試験の実施に際し、C型の固定リング８を用いることより、速度検出器３と保持具４の質量ｍによって速度検出器３の回転ローラ３ａ１に発生する反力ＮをＣ型の固定リング８で押さえ込むことで、速度検出器３を保持台４ｃに固定することができる。また、作業者が保持台４ｃを上方に持上げることにより、速度検出器３と固定リング８との間に隙間が形成される。これによって、速度検出器３の取外し、及び位置調整を行うことができる。したがって、速度検出器３の取付け、取外し、及び取付け状態における速度検出器３の位置調整を容易に行うことができ、従来懸念のあった、面ファスナーに伴う作業員の労力を軽減できる。したがって、速度検出器３の取付け、取外し及び位置調整の作業の能率を向上させることができる。
【００２６】
図７は、本発明の第１実施態の別の取付け方を示す斜視図である。
【００２７】
この図７に示すように、保持フレーム４ａと保持アーム４ｂを丸穴５ａを介して取付けている取付け部５の締結部品、例えば、ボルトとナット（図示せず）を緩めて取外し、保持アーム４ｂを反転させることにより、速度検出器３の回転ローラ３ａを図１の綱車１ｂと反対側の回転面に当接できる。
【００２８】
このように、エレベータ調速機１の型式が異なり、速度検出器３の取付ける向きが異なる場合においても、対応が容易に可能である。
【００２９】
［本発明の第２実施形態］
図８は、本発明の第２実施態を示す斜視図である。
【００３０】
本発明の第２実施形態は、前述した第１実施形態に備えられた取付け部５の丸穴５ａを図８に示すように、切欠き５ｂとしたものである。取付け部５の穴の形状を切欠き５ｂとすることにより、保持フレーム４ａと保持アーム４ｂを取付けている取付け部５の締結部品であるボルトを緩めるだけで、保持アーム４ｂを切欠き５ｂから取外し、保持アーム４ｂを反転させてから再度取付けられるようになっている。
【００３１】
この第２実施形態も、第１実施形態と同様の作用効果が得られるとともに、特に、ボルトを取外すことなく、保持アーム４ａを反転させることができるので、作業効率を向上させることができる。
【００３２】
［本発明の第３実施形態］
図９は、本発明の第３実施形態を示す要部拡大図である。
【００３３】
本発明の第３実施形態は、前述した第１実施形態に備えられた取付け部５の丸穴５ａを図９に示すように、ダルマ穴５ｃとしたものである。取付け部５の穴の形状を切欠き５ｃとすることにより、第２実施形態と同様に、保持フレーム４ａと保持アーム４ｂを取付けている取付け部５の締結部品であるボルトを緩めるだけで、保持アーム４ｂをダルマ穴５ｄから取外し、保持アーム４ｂを反転させてから再度取付けられるようになっている。したがって、この第３実施形態も、第１、２実施形態と同様の作用効果が得られる。
【００３４】
［本発明の第４実施形態］
図１０は、本発明の第４実施形態を示す要部拡大図である。
【００３５】
本発明の第４実施形態は、前述した第１実施形態に備えられた取付け部５の丸穴５ａを図１０に示すように、かぎ穴５ｄとしたものである。取付け部５の穴の形状を切欠き５ｄとすることにより、第３、４実施形態と同様に、保持フレーム４ａと保持アーム４ｂを取付けている取付け部５の締結部品であるボルトを緩めるだけで、保持アーム４ｂをかぎ穴５ｄから取外し、保持アーム４ｂを反転させてから再度取付けられるようになっている。したがって、この第４実施形態も、第１〜３実施形態と同様の作用効果が得られるとともに、万が一、回転ローラ３ａが綱車１ｂから外れて下方に回転した場合であっても、かぎ穴５ｄがボルトに係合し、保持アーム４ｂが落下することを防止できる。
【００３６】
なお、第１〜４実施形態で用いられるＣ型の固定リング８を切欠きのないＯ型構造としても、切欠きのない簡単な構成で同様の作用効果を得ることができる。
【図面の簡単な説明】
【００３７】
【図１】本発明に係るエレベータ調速機の試験装置の第１実施形態を示す斜視図である。
【図２】図１に示す第１実施形態に備えられＣ型の固定リングの幅寸法を説明する図で、図１のＡ矢視に相応し、しかもＣ型の固定リングを取付ける前の状態を示す図である。
【図３】図２のＥ矢視であり、Ｃ型の固定リングの切欠き幅を説明する図である。
【図４】Ｃ型の固定リングの作用を説明する図であるとともに、このＣ型の固定リングを速度検出器に適切に取付ける範囲を示す図である。
【図５】Ｃ型の固定リングを速度検出器に取付ける方法を示す図である。
【図６】図１のＣ矢視に相応する要部拡大図である。
【図７】本発明の第１実施形態の別の取付け方を示す斜視図である。
【図８】本発明の第２実施形態を示す要部拡大図である。
【図９】本発明の第３実施形態を示す要部拡大図である。
【図１０】本発明の第４実施形態を示す要部拡大図である。
【符号の説明】
【００３８】
１    エレベータ調速機    
１ａ  フレーム
３    速度検出器
３ａ  回転ローラ
４    保持具
４ａ  保持フレーム
４ｂ  保持アーム
４ｃ  保持台
５    取付け部
５ａ  丸穴
５ｂ  切欠き穴
５ｃ  ダルマ穴
５ｄ  かぎ穴
８    固定リング
ｍ    質量
Ｎ    反力
Ｌ    取付け範囲
Ｄ    径
Ｗ    切欠き幅
δ    長さ
Ｈ    リング幅
【図１】
2008156019.tif 000003
【図２】
2008156019.tif 000004
【図３】
2008156019.tif 000005
【図４】
2008156019.tif 000006
【図５】
2008156019.tif 000007
【図６】
2008156019.tif 000008
【図７】
2008156019.tif 000009
【図８】
2008156019.tif 000010
【図９】
2008156019.tif 000011
【図１０】
2008156019.tif 000012